(57)【要約】【課題】　各エアパッドユニットに対して個別に気体注入することができると共に、使用者の需要に応じて組合せることができるモジュール式エアパッドを提供する。【解決手段】　モジュール式エアパッドであって、ベース（１０）と、フックテープとループテープを有するベルクロによって該ベース（１０）の上面に脱着自在に設けられると共に、空気ノズル（２２）を有する複数のエアパッドユニット（２０）と、エアパッドユニット（２０）の空気ノズル（２２）と対応する気体注入ノズル（３２１）（３３１）を備える二本の気体注入パイプ（３２）（３３）を有する気体注入装置（３０）と、エアパッドユニット（２０）を取り外した後に、該気体注入ノズル（３２１）（３３１）に挿入する封止体（３４）と、を有することを特徴とする。【選択図】　図１
2004105717.tif 000002
【特許請求の範囲】
【請求項１】
モジュール式エアパッドであって、
ベース（１０）と、
フックテープとループテープを有するベルクロによって該ベース（１０）の上面に脱着自在に設けられると共に、空気ノズル（２２）を有する複数のエアパッドユニット（２０）と、
エアパッドユニット（２０）の空気ノズル（２２）と対応する気体注入ノズル（３２１）（３３１）を備える二本の気体注入パイプ（３２）（３３）を有する気体注入装置（３０）と、
エアパッドユニット（２０）を取り外した後に、該気体注入ノズル（３２１）（３３１）に挿入する封止体（３４）と、
を有することを特徴とするモジュール式エアパッド。
【請求項２】
モジュール式エアパッドであって、
ベース（１０）と、
ベース（１０）の上面に設けられるボタン及び底面に設けられる掛止リングによって該ベース（１０）の上面に脱着自在に設けられると共に、空気ノズル（２２）を有する複数のエアパッドユニット（２０）と、
エアパッドユニット（２０）の空気ノズル（２２）と対応する気体注入ノズル（３２１）（３３１）を備える二本の気体注入パイプ（３２）（３３）を有する気体注入装置（３０）と、
エアパッドユニット（２０）を取り外した後に、該気体注入ノズル（３２１）（３３１）に挿入する封止体（３４）と、
を有することを特徴とするモジュール式エアパッド。
【請求項３】
モジュール式エアパッドであって、
ベース（１０）と、
ベース（１０）の上面に設けられる掛止ベルトによって該ベース（１０）の上面に脱着自在に設けられると共に、空気ノズル（２２）を有する複数のエアパッドユニット（２０）と、
エアパッドユニット（２０）の空気ノズル（２２）と対応する気体注入ノズル（３２１）（３３１）を備える二本の気体注入パイプ（３２）（３３）を有する気体注入装置（３０）と、
エアパッドユニット（２０）を取り外した後に、該気体注入ノズル（３２１）（３３１）に挿入する封止体（３４）と、
を有することを特徴とするモジュール式エアパッド。
【発明の詳細な説明】
【技術分野】
【０００１】
本発明は、特に各エアパッドユニットに対して個別に気体注入することができると共に、使用者の需要に応じて組合せることができるモジュール式エアパッドに関するものである。
【背景技術】
【０００２】
従来のエアパッドは、例えば米国特許第５５６４１４２号に開示されるモジュール式エアパッドに示すように、使用者の需要に応じて選択した一部のエアパッドに対して気体注入できるものである。
【０００３】
しかし、使用者が熱傷の患者である場合においては、感染や皮膚の再生の妨げを防じために、熱傷箇所を他の物体と接触させてはならないが、前記従来のエアパッドは部分的に取り外すことができないので、患者の皮膚の再生に時間がかかってしまうという問題がある。
【特許文献１】米国特許第５５６４１４２号。
【０００４】
図８に示すように、従来のモジュール式エアパッドは、ベース（７０）と、一体に形成される複数のエアパッドユニット（７３）と、カバー（７５）とを備え、前記ベース（７０）の上面における各エアパッドユニット（７３）と対応する位置に複数の掛止ベルト（７１）を設けることにより、エアパッドユニット（７３）をベース（７０）の上面に設ける。又、このモジュール式エアパッドは気体注入装置（７２）によって各エアパッドユニット（７３）を気体注入し、該気体注入装置（７２）はコントローラー（７２１）と二本の気体注入パイプ（７２２）とを有し、これらの気体注入パイプ（７２２）によって空気をエアパッドユニット（７２）の内部に注入し、又は外部へ排出することができる。
【０００５】
又、図９に示すように、他の従来のエアパッドはエアパッドユニット（８３）の端面に係合孔（８３１）が形成されると共に、外側に係合孔（８３１）と結合するボタン（８１１）を有する固定ベルト（８１）が設けられ、ボタン（８１１）と係合孔（８３１）とを結合することによって各エアパッドユニット（８３）を固定させた後、孔（８５１）を有するカバー（８５）をボタン（８１１）と結合させることにより、カバー（８５）をエアパッドユニット（８３）の上面に設置する。
【発明の開示】
【発明が解決しようとする課題】
【０００６】
しかしながら、前記図８及び図９に示したモジュール式エアパッドは、そのエアパッドユニット（７３）（８３）を部分的に取り外して使用することができないので、使用上非常に不便である。
【０００７】
本発明は上記課題に鑑みなされたものであり、エアパッドユニットに対して個別に気体注入することができると共に、使用者の需要に応じて組合せることができるモジュール式エアパッドを提供することを目的としている。
【課題を解決するための手段】
【０００８】
請求項１に記載の発明は、モジュール式エアパッドであって、ベース（１０）と、フックテープとループテープを有するベルクロによって該ベース（１０）の上面に脱着自在に設けられると共に、空気ノズル（２２）を有する複数のエアパッドユニット（２０）と、エアパッドユニット（２０）の空気ノズル（２２）と対応する気体注入ノズル（３２１）（３３１）を備える二本の気体注入パイプ（３２）（３３）を有する気体注入装置（３０）と、エアパッドユニット（２０）を取り外した後に、該気体注入ノズル（３２１）（３３１）に挿入する封止体（３４）と、を有することを特徴とするモジュール式エアパッド及び、
請求項２に記載の発明は、モジュール式エアパッドであって、ベース（１０）と、ベース（１０）の上面に設けられるボタン及び底面に設けられる掛止リングによって該ベース（１０）の上面に脱着自在に設けられると共に、空気ノズル（２２）を有する複数のエアパッドユニット（２０）と、エアパッドユニット（２０）の空気ノズル（２２）と対応する気体注入ノズル（３２１）（３３１）を備える二本の気体注入パイプ（３２）（３３）を有する気体注入装置（３０）と、エアパッドユニット（２０）を取り外した後に、該気体注入ノズル（３２１）（３３１）に挿入する封止体（３４）と、を有することを特徴とするモジュール式エアパッド及び、
請求項３に記載の発明は、モジュール式エアパッドであって、ベース（１０）と、ベース（１０）の上面に設けられる掛止ベルトによって該ベース（１０）の上面に脱着自在に設けられると共に、空気ノズル（２２）を有する複数のエアパッドユニット（２０）と、エアパッドユニット（２０）の空気ノズル（２２）と対応する気体注入ノズル（３２１）（３３１）を備える二本の気体注入パイプ（３２）（３３）を有する気体注入装置（３０）と、エアパッドユニット（２０）を取り外した後に、該気体注入ノズル（３２１）（３３１）に挿入する封止体（３４）と、を有することを特徴とするモジュール式エアパッド、を提供する。
【発明の効果】
【０００９】
本発明のモジュール式エアパッドは、エアパッドユニットを脱着自在に気体注入パイプと結合するので、各エアパッドユニットに対して個別に気体注入することができると共に、使用者の需要に応じて組合せることができる。
【発明を実施するための最良の形態】
【００１０】
以下、添付図面を参照して本発明の好適な実施の形態を詳細に説明する。
【００１１】
図１は本発明に係るモジュール式エアパッドの第一実施例を示す分解斜視図であり、図２は本発明に係るモジュール式エアパッドの第二実施例を示す分解斜視図であり、図３は本発明に係るモジュール式エアパッドの第三実施例を示す分解斜視図であり、図４は本発明に係るモジュール式エアパッドの第一使用状態を示す参考図であり、図５は本発明に係るモジュール式エアパッドの第二使用状態を示す参考図であり、図６は本発明に係るモジュール式エアパッドの第三使用状態を示す参考図であり、図７は本発明に係るモジュール式エアパッドにおける気体注入装置の気体注入ノズルに封止体を設ける状態を示す参考図である。
【００１２】
図１に示すように、本発明に係るモジュール式エアパッドの第一実施例は、ベース（１０）と、複数のエアパッドユニット（２０）と、結合部材（符号なし）と、気体注入装置（３０）と、カバー（４０）とを有する。
【００１３】
前記結合部材は互いに対応するの第一結合ユニット（１１）と第二結合ユニット（２１）を有し、第一結合ユニット（１１）がベース（１０）の上面に設けられると共に、第二結合ユニット（２１）が各エアパッドユニット（２０）の底面に設けられ、又、各エアパッドユニット（２０）の一側に空気ノズル（２２）が設けられる。
【００１４】
前記第一結合ユニット（１１）及び第二結合ユニット（２１）の結合により、各エアパッドユニット（２０）をベース（１０）の上面に安定的に設けることができる。又、本実施例において、該第一結合ユニット（１１）及び第二結合ユニット（２１）はベルクロ（マジックテープ）であり、即ち、ベース（１０）の上面に設けるのはフックテープ（ループテープ）であると共に、エアパッドユニット（２０）の底面に設けるのはループテープ（フックテープ）であり、これらのベルクロにより、各エアパッド（２０）をベース（１０）の上面に設けることができる。
【００１５】
前記気体注入装置（３０）はコントローラー（３１）と二本の気体注入パイプ（３２）（３３）を有し、各気体注入パイプ（３２）（３３）に空気ノズル（２２）と対応する複数の気体注入ノズル（３２１）（３３１）が設けられることにより、各エアパッドユニット（２０）を気体注入又は排気することができる。
【００１６】
前記カバー（４０）は各エアパッドユニット（２０）を気体注入した後に、これらのエアパッドユニット（２０）の上面に設置される。
【００１７】
又、図２に示すように、本発明に係るモジュール式エアパッドの第二実施例は、前記第一実施例と殆ど等しく、異なるのはベース（１０）の上面に設ける第一結合ユニット（１１a）は複数のボタンであると共に、エアパッドユニット（２０）の底面に設けるのはボタンと対応する掛止リングであり、これらのボタン及び掛止リングの結合により、各エアパッド（２０）をベース（１０）の上面に設けることができる。
【００１８】
又、図３に示すように、本発明に係るモジュール式エアパッドの第三実施例は、前記第一実施例と殆ど等しく、異なるのはベース（１０）の上面に設ける第一結合ユニット（１１b）は複数の掛止ベルトであり、これらの掛止ベルトにより、各エアパッド（２０）をベース（１０）の上面に設けることができる。
【００１９】
図４に示すように、前記気体注入パイプ（３２）によって５×４のモジュール式エアパッド（５行４列、計２０個エアパッドユニット（２０）を有する）を気体注入する場合において、該気体注入パイプ（３２）は五本の第一パイプ（３２０）を有し、各第一パイプ（３２０）は、例えば第一、三、五行における第二と第四個のエアパッドユニット（２０）、及び第二、四行における第一と第三個のエアパッドユニット（２０）の空気ノズル（２２）と対応する二つの気体注入ノズル（３２１）を有する。一方、該気体注入パイプ（３３）は五本の第二パイプ（３３０）を有し、各第一パイプ（３３０）は、例えば第一、三、五行における第一と第三個のエアパッドユニット（２０）、及び第二、四行における第二と第四個のエアパッドユニット（２０）の空気ノズル（２２）と対応する二つの気体注入ノズル（３３１）を有する。これにより、コントローラー（３１）は夫々気体注入パイプ（３２）（３３）によって各エアパッドユニット（２０）を選択的に気体注入又は排気することができる。
【００２０】
又、図５に示すように、前記気体注入パイプ（３２）によって５×４のモジュール式エアパッド（５行４列、計２０個エアパッドユニット（２０）を有する）を気体注入する場合において、該気体注入パイプ（３２）は五本の第一パイプ（３２０a）を有し、各第一パイプ（３２０a）は、例えば第一乃至五行における第二と第四個のエアパッドユニット（２０）の空気ノズル（２２）と対応する二つの気体注入ノズル（３２１a）を有する。一方、該気体注入パイプ（３３）は五本の第一パイプ（３３０a）を有し、各第一パイプ（３３０a）は、例えば第一乃至五行における第一と第三個のエアパッドユニット（２０）の空気ノズル（２２）と対応する二つの気体注入ノズル（３３１a）を有する。これにより、コントローラー（３１）は夫々気体注入パイプ（３２）（３３）によって各エアパッドユニット（２０）を選択的に気体注入又は排気することができる。
【００２１】
図６に示すように、前記気体注入パイプ（３２）によって５×４のモジュール式エアパッド（５行４列、計２０個エアパッドユニット（２０）を有する）を気体注入する場合において、該気体注入パイプ（３２）は二本の第一パイプ（３２０b）を有し、該第一パイプ（３２０b）は、例えば第二、四行における第一乃至第四個のエアパッドユニット（２０）と対応する四つの気体注入ノズル（３２１b）を有する。一方、該気体注入パイプ（３３）は三本の第二パイプ（３３０b）を有し、該第二パイプ（３３０b）は、例えば第一、三、五行における第一乃至第四個のエアパッドユニット（２０）と対応する四つの気体注入ノズル（３３１b）を有する。これにより、コントローラー（３１）は夫々気体注入パイプ（３２）（３３）によって各エアパッドユニット（２０）を選択的に気体注入又は排気することができる。
【００２２】
図７に示すように、本発明に係るモジュール式エアパッドにおけるあるエアパッドユニット（２０）をベース（１０）から取り外す場合、このエアパッドユニット（２０）と対応する気体注入ノズル（３２１a）（３３１a）に封止体（３４）を挿入することにより、空気が漏れることを防止する。
【産業上の利用可能性】
【００２３】
本発明によれば、エアパッドユニットを脱着自在に気体注入パイプと組合せると共に、エアパッドユニットを選択的に気体注入するので、使用者の需要に応じてエアパッドユニットを組合せると共に、これらのエアパッドユニットを選択的に気体注入又は排気することができる。
【図面の簡単な説明】
【００２４】
【図１】本発明に係るモジュール式エアパッドの第一実施例を示す分解斜視図である。
【図２】本発明に係るモジュール式エアパッドの第二実施例を示す分解斜視図である。
【図３】本発明に係るモジュール式エアパッドの第三実施例を示す分解斜視図である。
【図４】本発明に係るモジュール式エアパッドの第一使用状態を示す参考図である。
【図５】本発明に係るモジュール式エアパッドの第二使用状態を示す参考図である。
【図６】本発明に係るモジュール式エアパッドの第三使用状態を示す参考図である。
【図７】本発明に係るモジュール式エアパッドにおける気体注入装置の気体注入ノズルに封止体を設ける状態を示す参考図である。
【図８】従来のエアパッドの分解斜視図である。
【図９】従来のエアパッドの分解斜視図である。
【符号の説明】
【００２５】
１０　　　　ベース
１１　　　　第一結合ユニット
１１a　　　第一結合ユニット
１１b　　　第一結合ユニット
２０　　　　エアパッドユニット
２１　　　　第二結合ユニット
２１a　　　第二結合ユニット
２２　　　　空気ノズル
３０　　　　気体注入装置
３１　　　　コントローラー
３２　　　　気体注入パイプ
３３　　　　気体注入パイプ
３４　　　　封止体
３２０　　　第一パイプ
３２０a　　第一パイプ
３２０b　　第一パイプ
３３０　　　第二パイプ
３３０a　　第二パイプ
３３０b　　第二パイプ
３２１　　　気体注入ノズル
３２１a　　気体注入ノズル
３２１b　　気体注入ノズル
３３１　　　気体注入ノズル
３３１a　　気体注入ノズル
３３１b　　気体注入ノズル
４０　　　　カバー
７０　　　　ベース
７１　　　　掛止ベルト
７２　　　　気体注入装置
７２１　　　コントローラー
７２２　　　気体注入パイプ
７３　　　　エアパッドユニット
７５　　　　カバー
８１　　　　固定ベルト
８１１　　　ボタン
８３　　　　エアパッドユニット
８３１　　　係合孔
８５　　　　カバー
８５１　　　孔
【図１】
2004105717.tif 000003
【図２】
2004105717.tif 000004
【図３】
2004105717.tif 000005
【図４】
2004105717.tif 000006
【図５】
2004105717.tif 000007
【図６】
2004105717.tif 000008
【図７】
2004105717.tif 000009
【図８】
2004105717.tif 000010
【図９】
2004105717.tif 000011